(57)【要約】【課題】組み込み式等のガスコンロにおいて上面に操作部を設けた場合の安全性を向上させる。【解決手段】コンロ本体８と、コンロ本体の上部を覆う天板１０と、コンロ本体内に設け被加熱物を加熱するバーナ１２と、バーナにガスの供給の開始と停止及びガス流量を調節するガス流量制御装置と、ガス流量制御装置を制御しバーナの点火と消火及び火力調節をする制御手段と、制御手段と電気的に接続しバーナの点火と消火及び火力調節等の指示を入力する操作部２２とを備え、操作部２２はバーナの火炎の熱影響が少ないように天板内で天板に対し段差２３ａを設けて構成することにより、バーナの輻射熱、対流熱の影響を低くし操作部の温度を低く保つのである。【選択図】図１
2005241027.tif 000002
【特許請求の範囲】
【請求項１】
コンロ本体と、前記コンロ本体の上部を覆う天板と、前記コンロ本体内に設け被加熱物を加熱するバーナと、前記バーナにガスの供給の開始と停止及びガス流量を調節するガス流量制御装置と、前記ガス流量制御装置を制御しバーナの点火と消火及び火力調節をする制御手段と、前記制御手段と電気的に接続しバーナの点火と消火及び火力調節等の指示を入力する操作部とを備え、前記操作部は前記バーナの火炎の熱影響を避けて前記天板上に段差つけて天板に設けてなるガスコンロ。
【請求項２】
コンロ本体と、前記コンロ本体の上部を覆う天板と、前記コンロ本体内に設け被加熱物を加熱するバーナと、前記バーナにガスの供給の開始と停止及びガス流量を調節するガス流量制御装置と、前記ガス流量制御装置を制御しバーナの点火と消火及び火力調節をする制御手段と、前記制御手段と電気的に接続しバーナの点火と消火及び火力調節等の指示を入力する操作部とを備え、前記操作部は前記天板に、前記天板上に対し前記バーナの火炎の熱影響を避けてガスコンロの手前側下方に向け傾斜して設けてなるガスコンロ。
【請求項３】
操作部は、不使用時には前記天板の内部に格納し、使用時は前記天板に対し隆起するよう昇降または回転可能に構成してなる請求項１または請求項２記載のガスコンロ。
【請求項４】
不使用時に操作部が天板の内部に格納した状態ではバーナの点火指示ができないロック手段を設けてなる請求項３記載のガスコンロ。
【請求項５】
ロック手段は、操作部の昇降または回転動作に連動して電気的な接続を遮断することによりバーナを消火し、かつロックを行う構成にしてなる請求項４記載のガスコンロ。
【請求項６】
操作部の昇降または回転動作は弾性体により付勢され、常に降下または回転可能な状態で操作できる請求項３から５のいずれかに記載のガスコンロ。
【発明の詳細な説明】
【技術分野】
【０００１】
本発明は、キッチンカウンターに組み込んで使用する組み込み式ガスコンロ、ガス置き台に載せて使用するガステーブル等のガスコンロに関し、特に操作部の構成に係るものである。
【背景技術】
【０００２】
従来、組み込み式ガスコンロは一般に加熱手段となるバーナの点火−消火（以下ＯＮ−ＯＦＦという）および火力調節は、コンロ本体の略垂直な前側面に設けた操作部で行っている。
【０００３】
また、操作部をコンロ本体の天板上に設けた場合、コンロ本体の両側のどちらか一方に設けるような構成もある（例えば、特許文献１参照）。このような構成において、図１１に示すようにコンロ本体１は、天板２をキッチンカウンター３に載せて組み込み、そして天板２上に並設したバーナ４は手動機械式のガスコック５を介してガスを供給するように構成すると、ガスコック５の操作部となる摘み６が天板２の上面における左右どちらかに突出して設けねばならなくなる。図中、７はゴトクである。
【０００４】
しかしながら、前記従来の前者の構成では、コンロ本体の前側面の操作部でバーナのＯＮ−ＯＦＦおよび火力調節を行うため、その操作部が通常、腰の高さにあり、身体を折り曲げる、屈み込む等の姿勢を強いられ操作がしにくく、操作の結果を表示する場合も視認性が悪い。
【０００５】
また、上記後者の構成では操作部である摘み６がコンロ本体１の天板２上にあり、ガス流量制御部と操作部を一体で構成する手動機械式のガスコック５がバーナ４にガスを供給するため、前記ガスコック５の配置はバーナの位置を考慮しなければならなかった。このため、操作部である摘み６はガスコック５の配置に制約され、純粋に操作性のみを考慮して天板２上に配置できない。また摘み自体の容積も大きく、極めて限られたスペースに配置しなければならず、また限られた機能しか設けることができない。
【０００６】
また、摘み６はバーナ４の火炎の熱影響を受けて熱くなることが予想されるとともに、天板２上に突き出ているため天板２の拭き掃除等で邪魔になる欠点を有している。
【０００７】
前記従来の例では、摘み６は天板２の左右いずれかに設けているので、キッチンカウンター３のスペースを摘み６の設置スペース分だけ狭くすることになる場合や、摘み６を複数設ける場合は天板２の手前側から奥方向に複数の摘みを並べることになるため、奥に設けた摘みほど操作性が悪くなることが考えられる。
【特許文献１】特開２００２−８９８５４号公報
【発明の開示】
【発明が解決しようとする課題】
【０００８】
前記背景技術の問題点に鑑み、本発明が解決しようとする課題は、楽な姿勢で操作を行え、かつ視認性が良くバーナの熱影響を抑え熱くなく不用意に作動することの無い安全な操作部を備えたガスコンロを提供することにある。
【課題を解決するための手段】
【０００９】
前記課題を解決するために、本発明のガスコンロは、コンロ本体と、前記コンロ本体の上部を覆う天板と、前記コンロ本体内に設け被加熱物を加熱するバーナと、前記バーナにガスの供給の開始と停止及びガス流量を調節するガス流量制御装置と、前記ガス流量制御装置を制御しバーナの点火と消火及び火力調節をする制御手段と、前記制御手段と電気的に接続しバーナの点火と消火及び火力調節等の指示を入力する操作部とを備え、前記操作部は前記バーナの火炎の熱影響を避けて天板上に対し段差をつけて天板に設け、または天板上に対しガスコンロの手前側下方に向け傾斜させて天板に設けた構成である。
【００１０】
これにより、ガス流量制御装置と制御手段をコンロ本体内に設置し、一方、操作部はガス流量制御装置およびその制御手段の設置位置に左右されることなく、操作性、視認性を主に考慮して配置ができガスコンロの使い勝手を向上できる。また、操作部は段差またははガスコンロの手前側に向いた傾斜により、バーナの輻射熱を受けにくく操作部の温度上昇を抑制でき、かつ燃焼排気の抵抗となり操作部から離れて燃焼排気を流せるため操作部の対流熱による加熱を抑えることができ、操作部への火炎の熱影響が少なくして安全に操作できる。
【発明の効果】
【００１１】
本発明のガスコンロは、ガス流量制御装置およびその制御手段とは分離して操作部を天板上面に配置する際の自由度が高く、操作性の良い位置に設置でき、操作がし易いとともに、操作部の確認が見やすく、また操作部の温度を低く抑える安全なガスコンロを提供できる。
【発明を実施するための最良の形態】
【００１２】
第１の発明は、コンロ本体と、前記コンロ本体の上部を覆う天板と、前記コンロ本体内に設け被加熱物を加熱するバーナと、前記バーナにガスの供給の開始と停止及びガス流量を調節するガス流量制御装置と、前記ガス流量制御装置を制御しバーナの点火と消火及び火力調節をする制御手段と、前記制御手段と電気的に接続しバーナの点火と消火及び火力調節等の指示を入力する操作部とを備え、前記操作部は前記バーナの火炎の熱影響を避けて前記天板上に対し段差をつけて前記天板に設けたガスコンロである。
【００１３】
これにより、ガス流量制御装置と制御手段をコンロ本体内に設置し、一方、操作部はガス流量制御装置およびその制御手段の設置位置に左右されることなく配置することができる。そして、操作部は天板上に対し下方または上方に段差をつけて前記天板に設けられるため、バーナの輻射熱を受けにくく操作部の温度上昇を抑制する。また、段差はバーナの燃焼排気の抵抗となり、そして操作部の表面から離れた燃焼排気流となり操作部の対流熱による加熱を抑えることができる。従って、操作時に触れても熱くない操作部を天板上に配置する際の位置の自由度が高く操作部は操作性、視認性を主に考慮して配置ができガスコンロの使い勝手を向上できる。
【００１４】
第２の発明は、コンロ本体と、前記コンロ本体の上部を覆う天板と、前記コンロ本体内に設け被加熱物を加熱するバーナと、前記バーナにガスの供給の開始と停止及びガス流量を調節するガス流量制御装置と、前記ガス流量制御装置を制御しバーナの点火と消火及び火力調節をする制御手段と、前記制御手段と電気的に接続しバーナの点火と消火及び火力調節等の指示を入力する操作部とを備え、前記操作部は前記天板上に対し前記バーナの火炎の熱影響を避けてガスコンロの手前側下方に向け傾斜して前記天板に設けたガスコンロである。
【００１５】
これにより、ガス流量制御装置と制御手段をコンロ本体内に設置し、一方、操作部はガス流量制御装置およびその制御手段の設置位置に左右されることなく配置することができる。そして、操作部は天板上に対しバーナの火炎の熱影響を避けてガスコンロの手前側下方に向け傾斜して天板に設けられるため、バーナの輻射熱を受けにくく操作部の温度上昇を抑制する。またバーナの燃焼排気は天板面上を水平方向から上方へ排出されるため、操作部を傾斜して構成すると排気を操作部の表面から離れて流すことができ操作部の対流熱による加熱を抑えることができる。また、操作部はガスコンロの手前側下方へ向けて傾斜して天板に設けられ使用者の目線に対し垂直に近づけて構成できるため、操作部の視認性を向上することができる。従って、操作時に触れても熱くない操作部を天板上の配置する際の位置の自由度が高く、かつ操作部の視認性がよいガスコンロを提供できる。
【００１６】
第３の発明は、第１または第２の発明の操作部を、不使用時には天板の内部に格納し、使用時は前記天板に対し隆起するよう昇降または回転可能に構成したガスコンロである。
【００１７】
これにより、不使用時は天板上面より下部に操作部が格納されるため、天板上面は略平面状にすることが可能になり操作部の凹凸がないため、デザイン的に有利になることはもちろん、天板上の掃除を容易に行うことができる。また、使用時は操作部が隆起するため、バーナの熱影響を低く抑えるととともに、操作部を傾斜させて設ければ操作部の視認性を向上させることができる。
【００１８】
第４の発明は、第３の発明の操作部に、ガスコンロの不使用時に前記操作部が前記天板の内部に格納した状態ではバーナの点火指示ができないロック手段を設けたガスコンロである。
【００１９】
これにより、ガスコンロ不使用時に子供等が操作部をいたずらして、点火することが無く、また、操作部を意図してロックを解除し隆起した状態にしなければ、操作ができないため不用意な誤操作や、操作部の上部に物が乗ったり、誤って手をつく等で点火し火傷などを負う可能性を大きく下げることができ、安全なガスコンロを実現できる。
【００２０】
第５の発明は、第４の発明における操作部のロック手段を、操作部の昇降または回転動作に連動して電気的な接続を遮断することによりガスコンロを消火し、かつロックを行うガスコンロである。
【００２１】
これにより、ガスコンロのロックは不使用時に毎回、操作部を格納することで、特に意図することなく自動的にロック状態にすることが可能であり、格納状態でも操作部が天板表面に臨む場合等、不使用時に子供等が不意に操作部に入力したり、誤って物を置いたり手をついたりして点火することがなく安全なガスコンロを実現できる。また、操作部を昇降または回転動作で開かなければ点火動作ができないため、２重動作で点火する安全操作手順を実現できる。
【００２２】
第６の発明は、第３から第５の発明のいずれか１つにおける操作部の昇降または回転動作は弾性体により付勢され、常に降下または回転可能な状態で操作できるガスコンロである。
【００２３】
これにより、使用時は弾性体により付勢された操作部を操作することができ、誤って操作部に鍋や猫などのペットが乗った場合、子供が触った場合等で操作部の弾性体での付勢力以上の重量がかかった場合は、操作部が天板内部に格納されそのとき同時にガスコンロのロックを行い点火動作ができなく、かつ自動的に消火されるため不意の火傷などの可能性を下げることができる安全なガスコンロを提供することができる。
【００２４】
以上のように本発明のガスコンロは、第１〜第６の発明を実施の形態の要部とすることにより本発明の目的を達成できるので、以下には各請求項に対応する実施の形態の詳細を、図１〜図１０を参照して説明し本発明を実施するための最良の形態の説明とする。なお、この実施の形態によって本発明が限定されるものではない。また、本発明の実施の形態の説明において、同一構成並びに作用効果を奏するところには同一符号を付して重複した説明は行わないものとする。
【００２５】
（実施の形態１）
図１は、本発明の実施の形態１における組み込み式ガスコンロの天板面の斜視図で、図２は同組み込み式ガスコンロの要部切欠の上面図で、図３は同組み込み式ガスコンロの概略断面図で、図４は同組み込み式ガスコンロのガス流量制御部分のブロック図を示すものである。
【００２６】
図１〜図４において、機器本体であるコンロ本体８は、箱状に成形されたケース９で構成し、上部を天板１０で覆われている。そして、コンロ本体８は、キッチンカウンター１１の開口部１１ａに落し込んで組み込まれ、天板１０はその外周縁を開口部１１ａの周縁部の上面に載置して設置されている。
【００２７】
ガスを燃料とするバーナ１２は、一部がケース９内に位置して天板１０上に高く突き出ないように臨まして、天板１０の手前側の左右と、この左右間の真中にあって後側にそれぞれ配置した３個が設けられている。この３個のバーナ１２には、それぞれガス流量制御装置１３が配管され、各ガス流量制御装置１３を介してガスの供給と遮断、そしてガス流量の制御で火力調節が行われる。従って、図４では一つのバーナ１２にガスを供給するガス流量制御部分を例にして説明する。
【００２８】
ガス流量制御装置１３は、複数の流量調節穴を設けたガス流量制御板１４と、これに相対抗して左右に移動しガス通路穴を有するスライド閉子１５により、ガス流量制御板１４の流量調節穴と前記ガス通路穴との重なり合う開口面積の変化で通過するガスの流量調節および供給と遮断を行う。スライド閉子１５はステッピングモータ１６により作動させ、ステッピングモータ１６の回転をスラスト方向への運動に変換し、かつ単一の乾電池２個の電池電源１７で回転するステッピングモータ１６の回転力でも充分にスライド閉子１５を動かせるようにカム、ギア等の駆動力変換手段１８により増力される。ステッピングモータ１６によるスライド閉子１５の位置は常にエンコーダ１９で検出されており、スライド閉子１５の位置異常やモーターの脱調などを検出することができる。ガス流量制御装置１３はケース９内でバーナ１２にガスを供給し易い位置に設けている。
【００２９】
制御手段２０はマイクロコンピュータおよびその周辺回路で構成され、ガス流量制御装置１３とは別個に構成されてケース９内に設ける。制御手段２０は回路を駆動するための電力を得るため電池電源１７に接続し、かつバーナ１２のＯＮ−ＯＦＦおよび火力調節の指示を行うため、帯状のフラットケーブル２１を介してガス流量制御装置１３のステッピングモータ１６およびエンコーダ１９と接続している。
【００３０】
操作部２２は、電気接点方式のスイッチで、タクトスイッチ、静電容量スイッチ等を採用して軽く触っても動作するソフトタッチ方式に構成し、３個のバーナ１２にそれぞれ対応して設けたもので、ガス流量制御装置１３、制御手段２０とは別個に形成したものである。
【００３１】
ここでは、操作部２２は、ガス流量制御装置１３と制御手段２０と別個に形成できるのは、ガス流量制御装置１３が電動モーターであるステッピングモータ１６により駆動され流量制御を行うことができ、制御手段２０の制御の指示で動作するからである。これによりフラットケーブル２１で操作部２２を制御手段２０に電気的に接続するだけでバーナ１２のＯＮ−ＯＦＦおよび火力調節の信号を送ることが可能になり、そして操作部２２と制御手段２０には何ら機械的な接続の必要が無く、その相対位置に関して制約が無いためである。
【００３２】
従って、操作部２２はガス流量制御装置１３、制御手段２０の設置位置に左右されることなく別個にして、バーナ１２の火炎による熱影響、操作性、視認性のみを考慮し、天板１０上においてバーナ１２の熱影響を避け、熱影響の少ない温度的に設置可能な天板１０の上面における周辺部の一つで手前側である周辺前部に設け、制御手段２０とはフラットケーブル２１を介して接続して、使用者の手の指が触れることでバーナ１２のＯＮ−ＯＦＦおよび火力調節を行う信号を制御手段２０に送るものである。
【００３３】
また操作部２２は、天板１０の上面より高いまたは低い等の段差２３ａをつけて天板１０上に設けた横長の操作部設置部２３に被覆させて操作部設置部２３の上面と面一に設け、かつそれぞれのバーナ１２の点火消火操作部２２ａと火力の上げ下げを行う近接した左右の火力調節操作部２２ｂを以って構成しており、これ以外にもガスコンロに機能を付加する場合には追加されるものである。
【００３４】
このように操作部２２は、天板１０の上面より上方または下方に段差２３ａを以って横長に設けることにより、操作部２２側に向かうバーナ１２の火炎による輻射熱は段差２３ａの側壁が遮蔽することで直接、操作部２２を加熱することを避けることができる。また、操作部設置部２３の段差２３ａの存在により、天板１０表面上を流れるバーナ１２の燃焼排気が操作部２２表面から離れるため、操作部表面の温度上昇を抑えることができる。
【００３５】
更に、操作部設置部２３の段差２３ａの側壁は垂直に設けても良いし、バーナの燃焼排気流の熱気を導くように傾斜させたり、曲面で構成しても良いし、排気抵抗を大きくするため表面に突起を設けたりすることも可能である。
【００３６】
表示部２４は、操作部２２である火力調節操作部２２ｂの真上に近接して５段階の火力調節と点火消火の表示ができるようにＬＥＤを操作部設置部２３に並設しており、操作部２２である点火消火操作部２２ａと火力調節操作部２２ｂを使用者が指等で押圧し入力することに連動して点灯、消灯できるようにフラットケーブル２１を介して制御手段２０に接続している。
【００３７】
なお、天板１０の一部である操作部設置部２３に設けてある操作部２２である点火消火操作部２２ａ、火力調節操作部２２ｂ、表示部２４は、その表面を樹脂製のメンブレムにより覆われ、点火消火操作部２２ａ、火力調節操作部２２ｂはその下部にタクトスイッチを搭載した基板（図示せず）を設置することにより構成され、基板にはフラットケーブル２１の一端が接続され、他端はガス流量制御装置１３の制御手段２０に接続されている。
【００３８】
ここで、本実施例では操作部２２であるスイッチとして、タクトスイッチを用いて説明を行っているが、操作部のスイッチは静電容量変化型のスイッチでも、フィルム電極を用いたスイッチや透明電極を用いたタッチパネルなどでも良く、また表示部２４もＬＥＤのみでなく、７セグメント型のＬＥＤ表示部や、液晶パネルを用いて表示することも可能であり、その他の入力装置、表示装置を用いて本機能を実現した場合も本発明の範囲である。
【００３９】
また、図中２５はゴトク、２６は天板１０に設けたバーナ突出用開口部、２７はガス流量制御装置１３の手前に配管接続した元電磁弁で、ステッピングモータ１６、エンコーダ１９の故障、フラットケーブル２１の断線等の発生または電源停止等で制御不能の時にガスの供給を遮断する。２８は操作部２２と同様の構成で以って設けた操作部２２の一つである電源操作部で、ガスコンロの使用安全を図るため、電池電源１７をＯＮ、ＯＦＦする電源スイッチである。２９は放電によりバーナ１２から噴出するガスに点火する放電点火手段である。
【００４０】
以上のように構成された組み込み式ガスコンロについて、以下その動作と作用を説明する。使用者は電源操作部２８を押して入力すると、電池電源１７が制御手段２０に供給されガスコンロは起動状態になる。起動状態において、点火消火操作部２２ａを押すと点火の信号がフラットケーブル２１を介して制御手段２０に送られ、そして制御手段２０により表示部２４の一つが点灯されるとともに、放電点火手段２９が放電を始める。
【００４１】
そして、制御手段２０によりフラットケーブル２１を介して信号が伝達されたガス流量制御装置１３のステッピングモータ１６が駆動されてスライド閉子１５が移動してガスがバーナ１２に供給され、放電を始めた放電点火手段２９により点火されバーナ１２が燃焼を開始する。
【００４２】
このようにバーナ１２が燃焼状態に入り、操作部２２の火力調節操作部２２ｂの上がるもしくは下がるのいずれかを使用者が操作して入力すると、その入力回数により表示部２４の点灯位置が移動し、また制御手段２０は入力回数に応じた予め定められた火力に調節するために、制御手段２０が記憶しているスライド閉子の現在位置情報からスライド閉子１５を移動させる値を演算してステッピングモータ１６にパルス信号を送る。これにより火力調節操作部２２ｂの設定値になるようにガス流量を制御してバーナ１２の燃焼量が制御されて火力が調節される。また、バーナ１２の消火を行うときは、点火消火操作部２２ａを再び押すことで消火の信号の伝達された制御手段２０は、ステッピングモータ１６を駆動してスライド閉子１５を閉じるとともに、表示部２４も消灯するものである。
【００４３】
このように本実施の形態では、バーナ１２にガスの供給、遮断とガス流量の制御で火力調節を行うガス流量制御装置１３およびその制御手段２０をコンロ本体８のケース９内に設置し、一方、操作部２２はガス流量制御装置１３およびその制御手段２０の設置位置に左右されることなく別個に設置できるので、バーナ１２の火炎による熱影響、操作性、視認性のみを考慮し、天板１０上におけるバーナ１２の火炎の熱影響が少ない温度的に設置可能な天板１０の上面範囲内で操作部設置部２３による段差２３ａを設けて配置することが可能になる。このため、段差２３ａによりバーナ１２の火炎による輻射熱を遮り熱影響を抑え、表面温度が高くならない操作部２２を実現できる。
【００４４】
従って、使用者はキッチンカウンター１１におけるガスコンロの天板１０の手前に立った姿勢で操作部２２を上から見ながら、手を出して上方より操作部２２を操作でき、操作性、視認性を大幅に向上させることができる。
【００４５】
また、表示部２４は操作部２２の操作に連動してコンロ本体８の作動状態を操作部２２の近くで表示するので、操作部２２は表示部２４を立った姿勢で見ながら操作でき、視認性、操作性を一層、向上させることができる。
【００４６】
また、操作部２２はタクトスイッチや静電容量スイッチ等の軽く触って動作するソフトタッチ方式に構成したので、操作部２２を天板１０と同程度の厚さで構成でき、天板上の掃除を容易に行うことができる。なお、天板１０を耐熱強化ガラスで構成した場合には、操作部２２を静電容量方式のスイッチに構成することも可能で、使用者は静電容量方式のスイッチである操作部に対向する耐熱強化ガラスの上面に指を触れるだけでよいことになる。
【００４７】
また、上記実施の形態では操作部設置部２３を天板１０の上面より高い段差２３ａを設けて盛り上げることで操作部２２を構成したが、図５（ａ）に示すように操作部設置部２３を天板１０の上面より段差２３ａを下げることで操作部２２を構成しても、段差２３ａの影に操作部２２が位置するためバーナ１２の火炎の輻射熱が遮られて操作部に当たりにくく、操作部２２の温度を下げる効果は得られる。
【００４８】
また、図５（ｂ）に示すように、操作部２２を設けた操作部設置部２３を、天板１０の上面より高くした段差２３ａからガスコンロの手前側に向けて徐々に下方へ傾斜させて操作部２２を構成した場合も、奥の段差２３ａが同様にバーナ１２からの輻射熱を遮る効果があり、かつバーナ１２からの燃焼排気も奥の段差２３ａの面に沿って上方へ導かれるため、操作部２２の表面を対流加熱することが無く、操作部自身の温度を低下させ、安全なガスコンロを実現できる。また、図５（ｃ）に示すように操作部２２を設けた操作部設置部２３を、天板１０の上面よりガスコンロの手前側に向けて徐々に下方へ傾斜させて操作部２２を構成した場合も、天板１０の上面より下方に操作部２２が位置して上記した図５（ｂ）に示す操作部と同様の効果が得られる。
【００４９】
なお、上記実施の形態では、ガスコンロの操作部２２を、天板１０の上面における手前側周辺部に横方向に配置したが、天板１０の左側周辺部または右側周辺部、そして天板１０の上面における手前側周辺部、左側周辺部、右側周辺部のそれぞれに分けて操作部を設けることも可能で、本発明と同等の作用効果を期待できるものである。
【００５０】
また、上記実施の形態では本発明を組み込み式ガスコンロに採用したが、据え置き型のガステーブルの操作部にも同様の構成が適用でき、本発明と同等の作用効果を期待できるものである。
【００５１】
また、上記実施の形態ではガス流量制御装置１３は電動モーターにより駆動されてガスの供給、遮断とガス流量の調節を行っているが、本発明はこれに限定されるものではなく、目的を達成できる範囲内で種々、変更できるものである。
【００５２】
（実施の形態２）
図６（ａ）は、本発明の実施の形態２における組み込み式ガスコンロで、操作可能時の操作部分の断面図で、図６（ｂ）は、同組み込み式ガスコンロで、格納時の操作部分の断面図である。本実施の形態は、操作部設置部の操作部を天板の上面より出没可能に構成した点で実施の形態１と異なり、操作部以外のガスコンロの構成は実施の形態１と同一であるため異なるところを中心に説明する。
【００５３】
図６（ａ）、図６（ｂ）において、天板１０は手前側周辺部に設ける操作部２２の操作部設置部２３が、上下方向へ昇降自在に設置可能なように開口部１０ａを形成し、開口部１０ａの周囲にバーリングを行い筒状のガイド１０ｂを設けている。操作部２２を上面に設けた操作部設置部２３は、天板１０の開口部１０ａにガイド１０ｂを介して操作部２２が天板１０の上面と同じ位置を基点にして上下方向に昇降自在に嵌合している。操作部２２は、横長の操作部設置部２３に被覆させて操作部設置部２３の上面と面一に設け、かつそれぞれのバーナ１２の点火消火操作部２２ａと火力の上げ下げを行う近接した左右の火力調節操作部２２ｂを以って構成しており、これ以外にもガスコンロに機能を付加する場合には追加されるものである。
【００５４】
表示部２４は、操作部２２である火力調節操作部２２ｂの真上に近接して５段階の火力調節と点火消火の表示ができるようにＬＥＤを操作部２２に並設しており、操作部２２である点火消火操作部２２ａと火力調節操作部２２ｂを使用者が指等で押圧し入力することに連動して点灯、消灯できるようにフラットケーブル２１を介して制御手段２０に接続していることは実施の形態１と同一である。
【００５５】
弾性体３０は、操作部２２を含む操作部設置部２３の上部裏面とケース９とに両端を固定して上方に操作部設置部２３を常に付勢している。操作部係止手段３１は、一対の棒で構成し、操作部設置部２３の側面の両端部にそれぞれ対向し、かつガイド１０ｂに設けた孔１０ｃに案内され水平方向に移動してガイド１０ｂ内へ出没可能なように天板１０内に設けている。そして、操作部係止手段３１は、一体に設けて天板１０の上面に開口したスライド案内溝１０ｄに嵌めた摘み３１ａの操作でガイド１０ｂ内へ出没してガイド１０ｂ内を昇降する操作部設置部２３に設けた閉位置係止穴３２と開位置係止穴３３とに抜差しして、図６（ａ）と図６（ｂ）に示す位置に、操作部設置部２３の操作部２２を天板１０より出没可能に構成する。
【００５６】
すなわち、閉位置係止穴３２は、図６（ｂ）に示すように操作部２２が天板１０の上面と略同一高さになった位置で操作部係止手段３１が嵌って係止し、操作部閉状態での系止位置を決定するため操作部設置部２３の側面位置に設け、また開位置係止穴３３は、図６（ａ）に示すように操作部２２が天板１０の上面より突出した高さになった位置で操作部係止手段３１が嵌って係止し、操作部開状態での係止位置を決定するため操作部設置部２３の側面位置に設けている。弾性体３４は、操作部係止手段３１とケース９とに固定して操作部係止手段３１を常に操作部設置部２３方向に付勢し、従って操作部係止手段３１の摘み３１ａが図６（ａ）、（ｂ）に示すようにスライド案内溝１０ｄの一端部に当接されている。
【００５７】
以上のように構成されたガスコンロの操作部２２について、以下その動作、作用を説明する。操作部設置部２３は、ガスコンロが不使用状態の場合は図６（ｂ）のように、ガスコンロの天板１０内部に格納されている。使用者は器具を使用する際に、操作部係止手段３１の摘み３１ａを弾性体３４の弾性力に反して操作することにより、操作部設置部２３の閉位置係止穴３２に嵌合している操作部係止手段３１が外れ、操作部設置部２３は弾性体３０の弾性力により天板１０の上面よりガイド１０ｂに案内されながら上方へ隆起する。そして、操作部設置部２３はストッパー２３ｂがガイド１０ｂの下端部に当接した位置で操作部設置部２３の側面に弾性体３４により当接していた操作部係止手段３１が開位置係止穴３３に合致して嵌り、操作部設置部２３が操作部開状態で図６（ａ）のように係止される。
【００５８】
ガスコンロの使用を終了した際は、図６（ａ）に示す操作部開状態において、摘み３１ａを矢印方向に操作して操作部係止手段３１を弾性体３４に抗してガイド１０ｂの方向に後退させて操作部設置部２３の開位置係止穴３３から抜き、そして操作部設置部２３をガイド１０ｂに沿い弾性体３０に抗して下方へ押し込むと、操作部設置部２３の側面に弾性体３４により当接していた操作部係止手段３１が閉位置係止穴３２に合致して嵌り、操作部設置部２３が操作部２２を天板１０の上面と略同一位置になった操作部閉状態で図６（ｂ）のように係止される。
【００５９】
従って、ガスコンロを使用しているときは天板１０より隆起した操作部設置部２３の段差２３ａにより、バーナ１２の火炎による輻射熱を遮り、操作部２２への熱影響を軽減でき、またガスコンロの非使用時には天板１０の上面と同じ位置になるまで操作部２２の操作部設置部２３を天板１０内に格納でき、略平になった天板１０の拭き掃除が楽にできる。
【００６０】
以上のように本実施の形態では、操作部が使用時には天板面と段差を持った状態になるので、操作部の温度上昇を防ぐことができるとともに、非使用時は操作部を天板内に収納することができるため、余計な突起物が無く器具の手入れがしやすく、またデザインもすっきりさせることができる。
【００６１】
（実施の形態３）
図７（ａ）は、本発明の実施の形態３における組み込み式ガスコンロで、操作可能時の操作部分の断面図で、図７（ｂ）は、同組み込み式ガスコンロで、格納時の操作部分の断面図で、図８は、同組み込み式ガスコンロのガス流量制御部分のブロック図である。本実施の形態は、操作部設置部の操作部を天板の上面より出没可能に構成し、かつ前記出没動作に連動してガスコンロの全体の制御部分への電源供給のＯＮ、ＯＦＦを行うロック手段を設けた点で実施の形態１及び実施の形態２と異なり、操作部以外のガスコンロの構成は実施の形態１と同一であり、また操作部設置部の操作部を天板の上面より出没可能にした構成は、実施の形態２と略同一であり、異なるところを中心に説明する。
【００６２】
図７（ａ）に示すようにロック手段である元電源スイッチ３５は、天板１０に設けたガイド１０ｂを兼用した端子板と、ガイド１０ｂに対向して操作部設置部２３の側面に一端を固定した変形自在な弾性導電体の端子板３５ａとで構成し、電池電源１７と制御手段２０との間を接続する電源ライン３６に設けている。そして、元電源スイッチ３５は、操作部設置部２３が天板１０よりの突出した操作部開状態（図７（ａ））のガスコンロの使用可能時にはガイド１０ｂに端子板３５ａが接して電源ライン３６を閉じ、操作部設置部２３が天板１０と同じ面に下降した操作部閉状態（図７（ｂ））のガスコンロの不使用時には端子板３５ａがガイド１０ｂから離反して電源ライン３６を開くように構成している。
【００６３】
なお、操作部設置部２３は、その上面に臨む操作部２２が天板１０の上面と同一位置で操作部閉状態を基点にして昇降する構成は、基本的に実施の形態２と同じであるが、図７（ａ）のように操作部開状態にあっては操作部係止手段３１が嵌って操作部設置部２３の上下動を固定するため、実施の形態２における図６（ｂ）の開位置係止穴３３を設けていない構成である。従って、操作部２２の操作力等が加わっても操作部設置部２３が容易に下降しないように２本の弾性体３０で以って操作部設置部２３を支える構成にしてある。
【００６４】
上記実施の形態では、電池電源１７から制御手段２０には電力を供給する電源ライン３６が元電源スイッチ３５を構成するガイド１０ｂ、端子板３５ａのそれぞれの端子に接続されており、図７（ａ）に示すように操作部設置部２３が操作部開状態では元電源スイッチ３５はガイド１０ｂに端子板３５ａが接してＯＮになり、電池電源１７は制御手段２０へ供給されるため、ガスコンロは使用可能な状態になる。
【００６５】
一方、操作部設置部２３が操作部閉状態では、図７（ｂ）に示すように操作部設置部２３の操作部２２が天板１０の上面と同じになり、操作部設置部２３の閉位置係止穴３２に操作部係止手段３１が嵌って操作部設置部２３が固定された場合は、端子板３５ａがガイド１０ｂから離反して元電源スイッチ３５がＯＦＦとなるため、電池電源１７は制御手段２０へは供給されないため、電源操作部２８を押圧してもガスコンロは起動しない。
【００６６】
また、操作部設置部２３は開位置系止穴が設けられておらず、２本の弾性体３０の弾性力のみで操作部開状態に保持されている。一般に操作部２２は操作力を受けると、回転方向と垂直に近い方向の操作力が加わり、そして、通常操作する操作力は約３Ｎ〜４Ｎであり、操作部２２への入力を受け付けることができる。ただし、鍋などが上部から操作部上に乗った場合は、操作部設置部２３の断面が略正三角形である場合、上方からの荷重は操作部を閉方向へ回転させる力が加わり、弾性体は収縮して操作部設置部２３は閉状態に回転して収納される。この場合、ガスコンロが運転中でも前記元電源スイッチ３５が切断されるため、ガスコンロは自動的に燃焼を停止する安全装置となる。
【００６７】
また、操作部設置部２３は操作部閉状態にある場合、実施の形態２と同等に天板１０と同一面に操作部２２はあるが、この場合も元電源スイッチ３５が電源ライン３６を切断しているため上から操作部２２に物を置いたり、手をついたり不用意な操作部２２への入力が行われた場合でも、意図せずガスコンロが点火したりする不安全な動作をすることが無く安心である。
【００６８】
また、ガスコンロの点火動作時には、操作部係止手段３１を意図的に解除して操作部設置部２３を天板１０の上方へ突出させる必要があり、摘み３１ａを持って矢印方向へ操作して操作部係止手段３１を閉位置係止穴３２から外す操作は、幼児クラスの子供には困難であり、俗に云うチャイルドロックの役割を果たすことができる。更に、操作部設置部２３は操作部２２の臨む上面が、ガスコンロの不使用時には天板１０と同一面にあり、掃除の際の手入れ性や、デザイン上も有利である。
【００６９】
なお、上記実施の形態ではロック手段として元電源スイッチ３５を使用し、操作部閉状態で操作部２２を操作しても電力が制御手段２０に供給できないように電気的に構成したが、操作部２２を天板上から隠してしまう機械的な方法で以って、結果的に操作部閉状態では操作して電力が制御手段２０に供給できないようにするものであっても良い。
【００７０】
（実施の形態４）
図９（ａ）は、本発明の実施の形態４における組み込み式ガスコンロで、操作可能時の操作部分の断面図で、図９（ｂ）は、同組み込み式ガスコンロで、格納時の操作部分の断面図である。本実施の形態は、回転軸を中心に操作部設置部を回転可能に設けて、操作部を天板の上面より出没可能に構成し点で実施の形態１から実施の形態３と異なり、操作部以外のガスコンロの構成、電源ロック手段等は実施の形態１、実施の形態３と同一であり、異なるところを中心に説明する。
【００７１】
図９（ａ）、（ｂ）において、操作部２２を有する操作部設置部２３は、断面が三角形の細長形状に形成し、天板１０の上面でガスコンロの手前側周辺部に開口した細長い開口部１０ａに、開口部１０ａの両端において天板１０のガイド１０ｂに軸支した回転軸３７に操作部設置部２３の三角形の頂点部を取付けて回転自在に嵌合している。
【００７２】
また、操作部２２が表面に臨む操作部設置部２３は、弾性体係止部３９に一端部を掛けて途中を回転軸３７に巻きつけ、他端部を操作部設置部２３に固定したねじり弾性体３８により操作部設置部２３が天板１０上に隆起する方向に付勢され、かつ操作部２２の臨む表面がガスコンロの手前側下方に向く傾斜位置で停止するように構成している。操作部設置部２３は内部端面にストライカー４０を設け、一方、天板１０内にはストライカー４０が係合する浮き出しラッチ４１が備えられている。浮き出しラッチ４１の内部にはハートカムと弾性体４２が内蔵されている。
【００７３】
そして、操作部設置部２３は図９（ａ）に示す操作部開状態でガスコンロの使用状態から、回転軸３７を中心に矢印方向に操作部設置部２３を天板１０内方向に押し込むと、ストライカー４０が浮き出しラッチ４１に係合した位置で図９（ｂ）に示すように天板１０と操作部設置部２３の一面が同一になり、操作部２２が天板１０内に隠れた操作部閉状態でガスコンロの不使用状態にできる構成にしている。
【００７４】
なお、操作部２２は操作部設置部２３に被覆させて操作部設置部２３の一面に設け、かつそれぞれのバーナ１２の点火消火操作部と火力の上げ下げを行う近接した左右の火力調節操作部を以って構成しており、これ以外にもガスコンロに機能を付加する場合には追加されるものである。
【００７５】
表示部２４は操作部２２である火力調節操作部の真上に近接して５段階の火力調節と点火消火の表示ができるようにＬＥＤを操作部２２に並設しており、操作部２２である点火消火操作部と火力調節操作部に使用者が指等で押圧し入力することに連動して点灯、消灯できるようにフラットケーブル２１を介して制御手段２０に接続していることは実施の形態１と同一である。
【００７６】
上記実施の形態において、操作部設置部２３は、回転軸３７を中心に回転させ、天板１０内の下に押し込むと、図９（ｂ）のようにストライカー４０が浮き出しラッチ４１にキャッチされ、操作部設置部２３は天板１０内に収納される。もう一度、操作部閉状態で操作部設置部２３の表面を押し込むと、浮き出しラッチ４１のハートカム４２が開放されストライカー４０が浮き出しラッチ４１から開放される。これにより、弾性体３８で付勢された操作部設置部２３は図９（ａ）のように天板１０上に隆起し、操作部２２は天板の上面に現れる。
【００７７】
以上のように構成された操作部においては、操作部設置部２３が操作部開状態で操作部２２は天板１０面に対し傾斜させて保持している。このため、使用者は操作部２２の視認性が良く使いやすい操作部を提供できる。また、操作部設置部２３は図９（ｂ）の操作部閉状態では操作部２２が天板１０の上面に現れておらず、ガスコンロの点火、消火などの入力ができないため不用意に天板１０上に物などが置かれて、ガスコンロが点火するような意図しない不安定な動作をしなく安全である。
【００７８】
（実施の形態５）
図１０は、本発明の実施の形態５における組み込み式ガスコンロの操作部の断面図を示す。本実施の形態は、実施の形態４と同様に、回転軸を中心に操作部設置部を回転可能に設けて、操作部を天板の上面より出没可能に構成し、更に実施の形態３と同様に、前記出没動作に連動してガスコンロの全体の制御部分への電源供給のＯＮ、ＯＦＦを行うロック手段を設けたものであり、操作部以外のガスコンロの構成は実施の形態１と同一であり、異なるところを中心に説明する。
【００７９】
図１０において、操作部設置部２３は、図９（ａ）、（ｂ）に示す実施の形態４と同じ構成で回転軸３７により天板１０に回転自在に取付け、天板１０の上面より隆起した操作部開状態で操作部２２を天板１０の上面に対しガスコンロの手前側下方に傾斜させて保持した位置と、回転させて天板１０内の下方に収納してストライカー４０が浮き出しラッチ４１に係止して操作部２２を天板１０内に収納して天板１０と同一面を成した操作部閉状態の位置にできる構成にしている。
【００８０】
また、ロック手段である元電源スイッチ３５は、実施の形態３と同じ構成で、天板１０のガイド１０ｂを兼用した端子板と、操作部設置部２３の側面に設けた端子板３５ａとで構成し、図８に示すように電池電源１７と制御手段２０との間を接続する電源ライン３６に設けている。そして、元電源スイッチ３５は、操作部設置部２３が天板１０よりの突出した図１０の操作部開状態のガスコンロの使用可能時にはガイド１０ｂに端子板３５ａが接して電源ライン３６を閉じ、操作部設置部２３が天板１０と同じ面に下降した操作部閉状態のガスコンロの不使用時には端子板３５ａがガイド１０ｂから離反して電源ライン３６を開くように構成している。
【００８１】
上記実施の形態では、操作部設置部２３が操作部開状態では元電源スイッチ３５がＯＮになり、乾電池電源１７の電力が制御手段２０へ供給されるため、ガスコンロは使用可能な状態になる。一方、操作部設置部２３が操作部閉状態の場合は元電源スイッチ３５がＯＦＦとなるため、制御手段２０へは乾電池電源１７の電力が供給されない。従って、電源操作部２８を押圧してもガスコンロは起動しない。
【００８２】
また、操作部設置部２３の上方から、鍋、その他の物が操作部の上に乗った場合、操作部設置部２３の断面は略正三角形であり、上方から物が置かれた場合に操作部設置部２３は回転軸３７を中心に回転可動し、ガスコンロが運転中でも前記元電源スイッチ３５が切断されるため、ガスコンロは自動的に燃焼を停止する安全装置となる。
【００８３】
また、ガスコンロの点火動作時には、意図的に天板１０と同一面を成している操作部設置部２３を、一旦、下方へ押してそれから押圧を止めて操作部設置部２３から手を離すことで、浮き出しラッチ４１からストライカー４０を外す操作は、幼児クラスの子供には困難であり、俗に云うチャイルドロックの役割を果たすことができる。
【産業上の利用可能性】
【００８４】
以上のように本発明にかかるガスコンロは、ガス流量制御装置およびその制御手段とは別個に操作部を天板の上面における周辺部に配置することができ、ガスコンロ、ガステーブル等の操作部分を改善する技術に適用できる。
【図面の簡単な説明】
【００８５】
【図１】本発明の実施の形態１における組み込み式ガスコンロの斜視図
【図２】本発明の実施の形態１における組み込み式ガスコンロの要部切欠の上面図
【図３】同実施の形態１における組み込み式ガスコンロの概略断面図
【図４】同実施の形態１における組み込み式ガスコンロのガス流量制御部分のブロック図
【図５】（ａ）、（ｂ）、（ｃ）本発明の実施の形態１における操作部分の種々の例を示す斜視図
【図６】（ａ）本発明の実施の形態２における組み込み式ガスコンロで、操作可能時の操作部分の断面図（ｂ）同組み込み式ガスコンロで、格納時の操作部分の断面図
【図７】（ａ）本発明の実施の形態３における組み込み式ガスコンロで、操作可能時の操作部分の断面図（ｂ）同組み込み式ガスコンロで、格納時の操作部分の断面図
【図８】同実施の形態３における組み込み式ガスコンロのガス流量制御部分のブロック図
【図９】（ａ）本発明の実施の形態４における組み込み式ガスコンロで、操作可能時の操作部分の断面図（ｂ）同組み込み式ガスコンロで、格納時の操作部分の断面図
【図１０】本発明の実施の形態５における組み込み式ガスコンロの操作部の断面図
【図１１】従来の組み込み式ガスコンロの概略断面図
【符号の説明】
【００８６】
８  コンロ本体
１０  天板
１２  バーナ
１３  ガス流量制御装置
２０  制御手段
２２  操作部
２２ａ  点火消火操作部
２２ｂ  火力調節操作部
２３  操作部設置部
２４  表示部
３０、３４  弾性体
３１  操作部係止手段
３２  閉位置系止穴
３３  開位置系止穴
３５  元電源スイッチ（ロック手段）
３７  回転軸
３８  ねじり弾性体
４０  ストライカー
４１  浮き出しラッチ
【図１】
2005241027.tif 000003
【図２】
2005241027.tif 000004
【図３】
2005241027.tif 000005
【図４】
2005241027.tif 000006
【図５】
2005241027.tif 000007
【図６】
2005241027.tif 000008
【図７】
2005241027.tif 000009
【図８】
2005241027.tif 000010
【図９】
2005241027.tif 000011
【図１０】
2005241027.tif 000012
【図１１】
2005241027.tif 000013